(57)【要約】      （修正有）【目的】院内薬局において調剤薬の薬局受付から調剤薬受け取りまでの時間的拘束を解消し、院内薬局における患者の利便性の向上を図ること。【構成】病院の院内薬局は、調剤受付時に患者から提出された処方箋と調剤番号札と宅配申込書を複写し、処方箋と宅配申込書の写しと調剤番号札の写しを患者に返却し、処方箋の正本、調剤番号をもって調剤作業を行い、調剤後に処方箋の正本を保存し、調剤した調剤薬を処方箋、調剤番号、宅配申込書と照合後、当日中に配達人が患者の自宅に調剤薬を配送し、配達人は患者宅で患者の持つ処方箋写し、番号札及び宅配申込書の写しを調剤薬と照合し、処方箋及び調剤番号札及びは宅配申込書の写しと引換えに患者に調剤薬を受け渡し、配達人は患者から受け取った処方箋、調剤番号札及び宅配申込書の各写しを院内薬局に持ち帰り、院内薬局において処方箋、調剤番号札及び宅配申込書を照合する。【選択図】  図２
2004287918.tif 000002
【特許請求の範囲】
【請求項１】
病院の院内薬局は、調剤受付時に患者から提出された処方箋と調剤番号札と宅配申込書を複写し、処方箋と宅配申込書の写しと調剤番号札の写しを患者に返却し、処方箋の正本、調剤番号をもって調剤作業を行い、調剤後に処方箋の正本を保存し、調剤した調剤薬を処方箋、調剤番号、宅配申込書と照合後、当日中に配達人が患者の自宅に調剤薬を配送し、配達人は患者宅で患者の持つ処方箋写し、番号札及び宅配申込書の写しを調剤薬と照合し、処方箋及び調剤番号札及びは宅配申込書の写しと引換えに患者に調剤薬を受け渡し、配達人は患者から受け取った処方箋、調剤番号札及び宅配申込書の各写しを院内薬局に持ち帰り、院内薬局において処方箋、調剤番号札及び宅配申込書を照合することで調剤薬の受け渡しが完了することを特徴とした院内薬局による調剤薬の配送サービスシステム。
【請求項２】
患者は、病院の院内薬局で調剤受付時に処方箋、調剤番号札と共に宅配申込書を提出し、薬局受付から返却された処方箋と宅配申込書の写しと調剤番号札の写しを持ち、服薬指導及び宅配申込受付を済ませた後に帰宅し、自宅で持ち帰った処方箋の写し、調剤番号札の写し及び宅配申込書の写しと引換えに配達人から調剤薬を受け取ることを特徴とする請求項１に記載の院内薬局による調剤薬の配送サービスシステム。
【請求項３】
患者宅での調剤薬の受け渡し時に、患者宅に保管されていた不用薬剤を回収し、薬局にて不用薬剤の処理をすることを特徴とする請求項１又は請求項２に記載の院内薬局による調剤薬の配送サービスシステム。
【請求項４】
介護施設入居者及び在宅療養者等に代わり、薬剤代理申込契約兼薬剤配送委託契約を締結した薬の配送サービス業者が代理人として病院へ行き、代理清算及び薬局受付、宅配受付を行うことで、施設、在宅療養者宅等へ調剤薬が配送されることを特徴とする請求項１に記載の院内薬局による調剤薬の配送サービスシステム。
【発明の詳細な説明】
【０００１】
【発明の属する技術分野】
本発明は、院内薬局による調剤薬の配送サービスを行うシステムに関する発明である。
【０００２】
【従来の技術】
従来の病院で一般的に用いられている院内薬局による調剤薬の提供システムの概念図を図５に示した。従って、図５に基づき従来の病院での調剤薬提供までを詳細に説明する。
【０００３】
従来の院内薬局による調剤薬の提供システム４は、病院１ｂで診察を受けようとする患者１ａが自動車で来院した場合は院内駐車場１ｅに自動車を駐車した後、或いは徒歩等の自動車以外で来院した場合にはそのまま病院１ｂ内に入り受付４ａし、医師による診察・処置４ｂを受ける。
【０００４】
診察・処置４ｂを受けた患者１ａは、先ず会計４ｃを済ませ、会計４ｃ時に処方箋１ｆを受け取り、前記処方箋を持って院内薬局１ｃで薬局受付４ｄをする。患者１ａは薬局受付４ｄで処方箋の提出と引換に番号札４ｅを受け取り、待合席１ｄで調剤薬の出来上がりを待つ。
【０００５】
院内薬局１ｃでは、薬局受付４ｄした患者１ａの提出した処方箋１ｆを受け取ると、処方箋１ｆで指定された通りの調剤薬を調剤４ｆする。前記調剤４ｆし調剤薬が出来上がると、番号札４ｅに記載の番号で呼び出され、呼び出された番号の番号札４ｅを持つ患者１ａは、番号札４ｅと引換えに調剤薬を受け取り４ｇ、帰宅４ｈする。
【０００６】
【発明が解決しようとする課題】
しかしながら、図５に示した従来の調剤薬提供システムでは薬局受付４ｄ後、調剤４ｆし調剤薬が出来上がり、患者１ａが調剤薬の受け取り４ｇを済ませるまでには待ち時間を要し、ましてや混雑している病院の場合では調剤薬の受け取り４ｇまでに長時間におよぶ待ち時間を要することとなる。
【０００７】
また、体調が悪くて診察４ｂを受けた患者１ａにとって、調剤薬受け取り４ｇまでの待ち時間が長いことは更なる身体的負担となると共に付添人にとっても長時間の時間的拘束を負うこととなり、非常に不便である。
【０００８】
さらに、待ち時間が長いとそれだけ待合席１ｄも混雑するために広い待合席１ｄを設ける必要があり、ひいては院内駐車場１ｅの混雑にも繋がるために広い院内駐車場１ｅが必要となるが、実際には駐車場が不足している病院が多く、調剤薬受け取り４ｇまでの待ち時間が長いことは病院１ｂにとっても不利な条件となる。
【０００９】
そこで、本発明は院内薬局において調剤薬の薬局受付から調剤薬受け取りまでの時間的拘束を解消し、院内薬局における患者の利便性の向上を図るために地域限定、当日配達にて院内薬局による調剤薬の配送サービスを行うシステムを提供することを目的とするものである。
【００１０】
【課題を解決するための手段】
本発明は、上記の課題を解決するために、病院の院内薬局では調剤受付時に患者から提出された処方箋、調剤番号札と宅配申込書を複写し、処方箋及び宅配申込書の写しと調剤番号札の写しを患者に返却し、処方箋の正本、調剤番号をもって調剤作業を行い、調剤後に処方箋の正本を保存し、調剤した調剤薬を処方箋、調剤番号札及び宅配申込書等と照合後、当日中に配達人が患者の自宅に調剤薬を配送し、配達人は患者宅で患者の持つ処方箋及び宅配申込書の写しと調剤場号札の写しを調剤薬と照合し、処方箋及び調剤番号札、宅配申込書の写しと引換えに患者に調剤薬を受け渡し、患者から受け取った処方箋及び調剤番号札、宅配申込書の写しを院内薬局に持ち帰り、院内薬局において処方箋、調剤番号札及び宅配申込書を照合することで調剤薬の受け渡しが完了することを特徴とした院内薬局による調剤薬の配送サービスシステムの構成、及び患者は院内薬局での調剤受付時に処方箋、調剤番号札と共に宅配申込書を提出し、薬局受付から返却された処方箋及び宅配申込書の写しと調剤番号札の写しを持ち、服薬指導及び宅配申込受付を済ませた後に帰宅し、自宅で持ち帰った処方箋の写し及び調剤番号札写し、宅配申込書写しと引換えに配達人から調剤薬を受け取ることを特徴とする院内薬局による調剤薬の配送サービスシステムの構成とした。
【００１１】
【実施例】
以下に、添付図面に基づいて、本発明である院内薬局による調剤薬の配送サービスシステムを詳細に説明する。図１は院内薬局による調剤薬の提供システムについての新旧概念図、図２は本発明である院内薬局による調剤薬の配送サービスシステムの概念図である。
【００１２】
図１は、院内薬局による調剤薬の提供システムについての新旧概念図、即ち図２に示した本発明である院内薬局による調剤薬の配送サービスシステムと、図５に示した従来の院内薬局による調剤薬の提供システムを比較するための概念図である。従って、図２に示した本発明のシステムを説明した後に、図１を用いて従来のシステムと本発明のシステムを比較する。
【００１３】
図２は、本発明である院内薬局による調剤薬の配送サービスシステムの概念図である。図２の概念図に従い本発明である院内薬局による調剤薬の配送サービスシステムについて説明する。
【００１４】
本発明である院内薬局による調剤薬の配送サービスシステム２は、先ず、患者３が自動車で来院した場合には院内駐車場１ｅに自動車を駐車後、或いは徒歩等で来院した場合にはそのまま病院１ｂ内の受付３ａで受付をし、医師による診察・処置３ｂを受けた後に会計３ｃを済ませると共に会計３ｃ時に処方箋１ｆを受け取る。但し、処方箋１ｆの受け渡し方法としては、会計３ｃ時に処方箋１ｆは直接薬局受付３ｄに送られ、会計時には調剤番号札が患者に渡される場合がある。
【００１５】
患者３は、前記処方箋１ｆ又は調剤番号札を持って院内薬局１ｃで薬局受付３ｄをする。薬局受付３ｄでは、複写式の宅配申込書に住所、氏名、電話番号を記入し、会計３ｃ時に受け取った処方箋１ｆ又は調剤番号札と共に薬局受付３ｄに提出し調剤の申込を行う。
【００１６】
薬局受付３ｄは、患者３からの調剤の申し込みを受け付けると、処方箋を複写２ａし、調剤番号札と複写した処方箋及び宅配申込書写しを患者３に返却し受付を完了させ、調剤番号札と処方箋の原本により調剤２ｂの作業に入る。
【００１７】
患者３は、返却された調剤番号札と複写した処方箋及び宅配申込書写しを持ち３ｅ、処方箋１ｆに記載された調剤薬についての説明及び服薬指導３ｆを受けた後に、宅配申込の受付３ｇをする。前記宅配申込の受付３ｇでは、調剤番号札、複写した処方箋及び宅配申込書写しを確認し、宅配送料等を清算する。
【００１８】
宅配申込の受付３ｇでは、受付簿に調剤番号札の番号、処方箋情報、宅配申込情報等を記入し、調剤番号札写しと処方箋及び宅配申込書の写しを患者３に返却し、領収書を発行する。この時、宅配可能な範囲は近隣地域限定とする。これは確実に当日配達するためと料金を一律制とするためである。勿論、必ずしも宅配可能な範囲は近隣地域限定とする必要はなく、必要に応じて宅配可能な範囲を近隣地域限定しなくても良い。
【００１９】
宅配申込の受付３ｇを済ませた患者３は、そのまま調剤番号札写し、処方箋及び宅配申込書の写しを持って帰宅３ｈし、自宅で調剤薬が配送されるのを待てば良いのである。即ち、病院１ｂ内で調剤薬の出来上がりを待つ必要がなくなるのである。
【００２０】
薬局受付３ｄで調剤申込を受け付けた院内薬局１ｃは、受け取った処方箋１ｆにより調剤２ｂし、調剤薬を作る。調剤薬が出来上がると、処方箋は調剤番号と共に保存２ｃされる。
【００２１】
出来上がった調剤済み薬剤２ｄは、受付３ｇで受付簿に記入された調剤番号、処方箋情報、宅配申込情報と照合され、誤配達がないように十分配慮された上で、配送２ｅの作業が開始する。
【００２２】
宅配３ｉをする配達人３ｊは、処方箋、調剤番号札及び宅配申込書の各写しをもって配達し、宅配３ｉした患者３の自宅で、再度患者３の持ち帰っていた調剤番号札、処方箋、宅配申込書の各写しと共に処方箋を照合した後、患者３の持っていた調剤番号札、処方箋及び宅配申込書の写しと引換えに調剤薬を患者３に受け渡す２ｆ。
【００２３】
このようにして、調剤薬の受け渡しを完了した宅配３ｉをする配達人３ｊは、調剤薬と引換えとした患者３の持っていた処方箋、調剤番号札及び宅配申込書の各写しを院内薬局１ｃへと持ち帰り、院内薬局１ｃでは、配達人の持ち帰った処方箋２ｇ、調剤番号札、住所、氏名等を調剤２ｂ作業後に保存した処方箋２ｃ（調剤記録）と照合し、誤配達等のないことを確認し、患者３への調剤薬の配送が完了となる。
【００２４】
但し、以上に説明したような本発明である院内薬局による調剤薬の配送サービスシステムを利用する前提として、以下の３点が必要となる。第１に患者３が薬剤師以外の者による配達に同意していることである。院内薬局１ｃに委託された配達人が調剤薬を患者３の自宅に配送２ｅするが、配達人は必ずしも薬剤師の資格を有する者でないことに患者３が同意している必要がある。
【００２５】
第２に、配達人が患者３の自宅において患者３の持つ処方箋、調剤番号札及び宅配申込書の各写しと配達した調剤薬の処方箋が同一のものであることを担保することである。調剤薬の誤配達等があってはならないので、配達人は必ず患者３の自宅において、患者３の持ち帰っていた処方箋、調剤番号札及び宅配申込書の各写し３ｅと配達人の持参した調剤された調剤薬の処方箋、調剤番号札及び宅配申込書の各写しとを照合し同一のものであることを配達人の責任として保証しなくてはならない。
【００２６】
第３に、当該院内薬局１ｃが、当該患者３の薬歴を有していることである。調剤薬による副作用等がないことを保証するためにも、過去に患者３の調剤薬を調剤したことがなければならない。
【００２７】
次に、図１に示した院内薬局による調剤薬の提供システムについての新旧概念図を用いて、図２に示した本発明である院内薬局による調剤薬の配送サービスシステムと図５に示した従来の院内薬局により調剤薬の提供システムについてを比較する。
【００２８】
図１の院内薬局による調剤薬の提供システム概念図１中、実線で示した経路により調剤薬を提供するのが従来の調剤薬提供システム４であり、点線で示した経路により調剤薬を提供するのが本発明である調剤薬の配送サービスシステム２である。
【００２９】
患者１ａが病院１ｂで受付、診察・処置、会計を済ませ処方箋を受け取り、院内薬局１ｃで薬局受付をする点は従来のシステム４も本発明のシステム２も同様である。
【００３０】
従来のシステム４と本発明のシステム２に大きく相違があるのは、院内薬局１ｃで薬局受付を済ませた後、調剤薬を受け取るまでの経緯である。従来のシステム４では、患者１ａは薬局受付で番号札を受け取り、調剤薬が出来上がるまで待合席１ｄで待ち、自分の番号札に記載されている番号の調剤薬が出来上がると、番号札と引換えに調剤薬を受け取り、帰宅していた。
【００３１】
一方、本発明の院内薬局による調剤薬の配送サービスシステム２では、患者１ａは院内薬局１ｃの薬局受付時に調剤薬の申込と共に宅配申込書の記入をし、番号札、処方箋等の写しを受け取り、服薬指導、宅配申込の受付を済ませた後、番号札及び処方箋の写し、宅配申込書の写しを持って調剤薬の出来上がりを待たずにそのまま帰宅すると、当日中に調剤薬が患者１ａの自宅にオートバイ、乗用車、軽貨物自動車等により宅配の配達人により配達される。
【００３２】
即ち、従来のシステム４と本発明のシステム２の大きな相違点は、待合席１ｄでの待ち時間の有無である。一般的に病院１ｂでは、診察等の時間よりも調剤薬の出来上がりを待つ待合席１ｄでの待ち時間が長時間となることが多い。
【００３３】
しかしながら、待合席１ｄでの待ち時間が長いことは、患者又は付添人が時間的に拘束されると共に、診察を受けた患者に身体的な負担がかかることともなり、好ましいことではない。
【００３４】
また、待ち時間が長いということは、待合席１ｄの混雑にもつながり、病院１ｂとしても広いスペースの待合席１ｄを設けなくてはならない。また、病院１ｂ内が混雑することで、駐車場１ｅも混雑するため広い駐車場１ｅが必要となる。
【００３５】
しかしながら、本発明のシステム２では、待合席１ｄでの待ち時間を必要としないので、広い待合席１ｄを設ける必要がなくなり、患者１ａの回転率も良くなるために駐車場１ｅの混雑も解消される。更に患者１ａ自身も、待合席１ｄで調剤薬の出来上がりを待たなくても良いので、身体的負担及び時間的拘束からも解放されることとなる。
【００３６】
調剤薬局１ｃとしても、従来のシステム４では膨大な数の患者１ａの調剤薬を早急に調剤しなくてはならず、ましてや調剤の誤りがあってはならないので、調剤作業をする者にかかる負担も大きかった。
【００３７】
一方、本発明の院内薬局による調剤薬の配送サービスシステム２では、患者１ａは自宅で調剤薬を受け取るので、院内薬局１ｃ内での調剤作業にも時間的余裕ができ、より慎重に調剤作業を進めることができる。
【００３８】
また、処方箋１ｆの受け渡しが確実にされることが前提とはなるが、院内薬局１ｃのみならず、医薬分離された調剤薬局店に適用して、調剤薬の調剤作業を分業化することも可能となる。
【００３９】
本発明である院内薬局による調剤薬のオートバイ、軽自動車等の車両による配送サービスシステム１は、病院内にある院内薬局だけではなく、病院の外部に設置されている外部薬局にも適用できるものである。
【００４０】
また、本発明である院内薬局による調剤薬の配送サービスシステム１においては、宅配３ｉの配達人３ｊが、患者３の患者宅に調剤薬を宅配した際に、患者宅３ｋにある未使用の調剤薬を回収しても良い。
【００４１】
図３は本発明である院内薬局による調剤薬の配送サービスシステムの第２実施例の概念図である。図３に示すように、本発明である院内薬局による調剤薬の配送サービスシステムの第２実施例では、図２に示した本発明の第１実施例と同様に、患者６が自動車で来院した場合には院内駐車場１ｅに自動車を駐車後、或いは徒歩等で来院した場合にはそのまま病院１ｂ内で受付６ａし、医師による診察・処置６ｂを受けた後に会計６ｃを済ませると会計時に処方箋を受け取る。但し、会計６ｃ時に会計６ｃから直接薬局へ処方箋が送られ、会計６ｃでは調剤番号札が患者に渡される場合がある。
【００４２】
患者６は、会計６ｃを済ませると、宅配受付６ｄにて、住所、氏名、電話番号を宅配申込書（２パーツ）に記入し、宅配申込を行う。宅配受付６ｄでは、宅配申込時に、患者６の処方箋を２部複写し、処方箋原本及び複写処方箋、調剤番号札写し、宅配申込書写しを患者６に返却する。
【００４３】
患者６は宅配受付６ｄでの宅配申込を済ませると、宅配受付６ｄで返却された処方箋原本及び２部の複写処方箋、調剤番号札写し及び宅配申込書写しを持って薬局受付６ｅで調剤依頼を行う。この時、薬局受付６ｅでは、患者６の提出した処方箋原本及び２部の複写処方箋又は宅配申込書に宅配の識別印を押し、調剤番号（調剤番号札は会計時に患者に渡されている場合もある。）を処方箋原本又は宅配申込書に転記し、調剤番号札と共に２部の複写処方箋及び宅配申込書を患者６に返却する。
【００４４】
薬局受付６ｅでの調剤依頼を済ませた患者６は、再度宅配受付６ｄに寄り、調剤番号札と２部の複写処方箋及び宅配申込書写しを提出する。宅配受付６ｄは、患者６の提出した調剤番号札の番号を２部の複写処方箋に転記し、調剤番号札と調剤番号の転記された複写処方箋の１部及び宅配申込書写しを宅配受付６ｄで所持し、残りの調剤番号の転記された複写処方箋の１部及び宅配申込書写しを患者６に返却する。調剤番号の転記された複写処方箋１部及び宅配申込書写しを受け取った患者６はそのまま帰宅６ｆする。
【００４５】
薬局受付６ｅで調剤依頼を受けた院内薬局１ｃでは、調剤番号の転記された処方箋原本により調剤依頼５ａがなされ、調剤作業５ｂが開始される。
【００４６】
調剤完了５ｃした薬剤は、薬局受付６ｅに送られ、調剤完了５ｃした処方箋の原本は薬局内で保存５ｄされる。
【００４７】
薬局受付６ｅに送られた宅配用の調剤薬は、宅配受付人により宅配受付６ｄ時に宅配受付人が患者６より受け取った番号札で交換され、宅配受付人は調剤番号の転記された複写処方箋及び宅配申込書写しと宅配受付情報を突き合わせ確認し、配達人に配送の依頼を行い、配送準備５ｅとする。
【００４８】
配送５ｄを行う配達人は、宅配の依頼をした患者６の自宅６ｇに配達に行くと、宅配受付人から受け渡された配達人の持つ調剤番号の転記された複写処方箋及び宅配申込書写しと、患者６が持ち帰っていた調剤番号の転記された複写処方箋及び宅配申込書写しを照合し、薬剤と引き換えにして、患者６の持ち帰っていた調剤番号の転記された複写処方箋及び宅配申込書写しに受領印を受け５ｇ（６ｈ）、薬剤の受け渡しの完了となる。また、この時、患者６宅に不用な残留薬剤がある場合には、薬剤の受け渡しと同時に回収５ｈする。
【００４９】
配達人は、薬剤の受け渡し５ｇ及び不用薬剤の回収５ｈを終えると、受領印が押印された調剤番号の転記された複写処方箋及び宅配申込書写しと回収した不用薬剤を持ち帰り５ｉ、薬局受付に返却５ｊする。この時、配達人は、配達実績を記録し保存５ｋする。
【００５０】
薬局受付では、配達人により返却された受領印の押印された複写処方箋及び宅配申込書写しを調剤完了後に保存されていた処方箋５ｄと共に保存５ｌし、回収された不用薬剤は、薬局１ｃに送られて処置５ｍされる。
【００５１】
このようにして、患者６宅に残されていた不用薬剤を回収することで、うっかりした服薬事故を防げると共に、不用薬剤が一般ゴミ化され、廃棄されることによる環境への悪影響を防止することができる。
【００５２】
図４は、本発明である院内薬局による調剤薬の提供システムの第３実施例を示す概念図である。図４に示した本発明の第３実施例では、介護福祉施設や老人保健施設等の施設入所者や、在宅の療養者・高齢者及び障害者等の病院へ行くことが困難な患者が調剤薬の配送サービスを受けることが可能であることを特徴としたシステムである。
【００５３】
図４では、介護福祉施設の入居者を例にして本発明である院内薬局による調剤薬の提供システムの第３実施例を説明する。先ず、本第３実施例では、介護福祉施設８の施設責任者８ｂが予め施設入居者８ａから委任を受けた上で、薬の配送サービス事業者９と薬剤代理申込契約兼薬剤配送委託契約７ａを結ぶ。
【００５４】
介護福祉施設８では定期的に医師による施設入居者８ａの施設内定期的診察８ｃが行われ、医師は必要に応じて薬の処方箋を病院にて発行する。施設入居者８ａに処方箋が出されると、施設責任者８ｂは、薬剤代理申込契約兼薬剤配送委託契約７ａを締結した薬の配送サービス業者９に電話連絡を行い、薬剤代理申込及び薬剤配送サービスの依頼７ｂを行う。
【００５５】
薬剤配送サービスの依頼７ｂを行った介護福祉施設８では、予め宅配申込書に必要事項を記入し、宅配申込書の写しを介護福祉施設８が保存する（８ｄ）。
【００５６】
施設責任者８ｂからの薬剤代理申込及び薬剤配送サービス依頼７ｂを受けた薬の配送サービス業者９は、依頼した介護福祉施設８を訪れ、介護福祉施設８の用意した宅配申込書を受け取り９ａ、受け取った宅配申込書を持って病院へ行き、代理清算９ｂを行う。
【００５７】
薬の配送サービス業者９は、代理清算９ｂを済ませた後、薬局受付９ｃで処方箋及び宅配申込書を提出し、調剤依頼を行う。この時、薬局受付９ｃは、処方箋原本と複写処方箋に宅配印を押印し、調剤番号を宅配申込書写しに転記し、調剤番号札と共に複写処方箋及び調剤番号を転記された宅配申込書の写しを薬の配送サービス業者９に返却する。
【００５８】
薬局受付９ｃから調剤番号札、複写処方箋及び宅配申込書の写しを受け取った薬の配送サービス業者９は、宅配受付９ｄで調剤番号札、複写処方箋及び宅配申込書写しを提出する。宅配受付９ｄでは、提出された複写処方箋、調剤番号札写し、宅配申込書写し及び配送料金の請求書を薬の配送サービス業者９に渡す。
【００５９】
薬の配送サービス業者９は、介護福祉施設８へ戻り、施設内で病院会計の代理清算９ｂの領収書と、宅配受付９ｄからの配送料金の請求書で清算９ｅし、調剤番号の記入された複写処方箋、調剤番号札写し及び宅配申込書写しを介護福祉施設８へ受け渡すことで、薬剤代理申込の完了となる。
【００６０】
薬の配送サービス業者９が薬局受付９ｃを済ませた後、院内薬局１ｃでの調剤依頼７ａから配送７ｆまでの流れは、図３に示した本発明である院内薬局による調剤薬の配送サービスシステムの第２実施例と同様である。
【００６１】
調剤完了７ｃした薬剤は配達人により、介護福祉施設８へ配送７ｆされる。配達人は介護福祉施設８で保管されていた複写処方箋及び調剤番号の記入された宅配申込書写しを照合し、宅配申込書写しに受領印を受け、薬剤と引き換える７ｇ（８ｅ）。この時、介護福祉施設８の施設入居者８ａが不用な残留薬剤を持っていた場合には、配達人が不用薬剤の回収７ｈを行う。尚、以後の配達人が処方箋及び不用薬剤を持ち帰り７ｉ、処方箋を保存７ｌするまでの流れも本発明の第２実施例と同様である。
【００６２】
このように、本第３実施例では、介護福祉施設８又は老人保健施設、在宅療養者等が薬の配送サービス業者９と薬剤代理申込契約兼薬剤配送委託契約７ａを締結することによって、病院へ直接行くことが困難な患者でも、院内薬局１ｃに調剤依頼をし、施設或いは自宅への調剤薬の配送サービスを受けることができる。
【００６３】
【発明の効果】
本発明である院内薬局による調剤薬の配送サービスシステムは、以上に説明したような構成であるから、以下の効果が得られる。第１に、調剤受付から調剤薬の出来上がりまでを病院内で待つ必要はないため、長時間の待ち時間を解消することができる。
【００６４】
第２に、待ち時間が解消されることは、患者自身の身体的負担や患者及び付添人の時間的拘束が解消されると共に、院内及び駐車場の混雑が解消され、院内薬局の利便性が向上される。
【００６５】
第３に、院内に広いスペースの待合席を設ける必要が無くなり、院内のスペースを有効活用することができると共に、駐車場の不足も解消される。
【００６６】
第４に、不用薬剤を回収することにより、残留薬剤による服薬事故の防止すると共に、不用薬剤が一般ゴミ化され、廃棄されることによる環境への悪影響を防止することができる。
【図面の簡単な説明】
【図１】院内薬局による調剤薬の提供システムについての新旧概念図である。
【図２】本発明である院内薬局による調剤薬の配送サービスシステムの概念図である。
【図３】本発明である院内薬局による調剤薬の配送サービスシステムの第２実施例の概念図である。
【図４】本発明である院内薬局による調剤薬の配送サービスシステムの第３実施例の概念図である。
【図５】従来の院内薬局による調剤薬の提供システムの概念図である。
【符号の説明】
１          調剤薬提供システムの新旧概念図
１ａ        患者
１ｂ        病院
１ｃ        院内薬局
１ｄ        待合席
１ｅ        院内駐車場
１ｆ        処方箋
２          院内薬局による調剤薬の配送サービスシステム
２ａ        処方箋を複写
２ｂ        調剤
２ｃ        処方箋保存
２ｄ        調剤済み薬剤
２ｅ        配送
２ｆ        処方箋・番号札を照合誤引換
２ｇ        処方箋持帰り
２ｈ        処方箋、番号札、住所、氏名の照合
３          患者
３ａ        受付
３ｂ        診察・処置
３ｃ        会計
３ｄ        薬局受付
３ｅ        番号札・処方箋写し持ち帰り
３ｆ        服薬指導
３ｇ        配送受付
３ｈ        帰宅
３ｉ        宅配
３ｊ        配達人
３ｋ                患者宅
４          調剤薬提供システム
４ａ        受付
４ｂ        診察・処置
４ｃ        会計
４ｄ        薬局受付
４ｅ        番号札
４ｆ        調剤
４ｇ        調剤薬受取
４ｈ        帰宅
５          院内薬局による調剤薬の配送サービスシステム
５ａ        調剤依頼
５ｂ        調剤
５ｃ        調剤完了
５ｄ        処方箋保存
５ｅ        配送準備
５ｆ        配送
５ｇ        番号入処方箋を照合後、薬剤と引換え、受領印を受ける
５ｈ        不用薬剤の回収
５ｉ        処方箋及び不用薬剤を持ち帰り
５ｊ        回収した薬剤を薬局へ返却
５ｋ        処方箋を薬局へ渡し、配達記録を残し保存する
５ｌ        処方箋を保存
５ｍ        返却された薬剤は薬局で処置
６          患者
６ａ        受付
６ｂ        診察・処置
６ｃ        会計
６ｄ        宅配受付
６ｅ        薬局受付
６ｆ        帰宅
６ｇ        患者宅
６ｈ        番号入処方箋を照合後、薬剤と引き換え、受領印を受ける
７          院内薬局による調剤薬の配送サービスシステム
７ａ        薬剤代理申込契約兼薬剤配送委託契約
７ｂ        薬剤代理申込及び薬剤配送サービスの依頼
８          介護福祉施設
８ａ        施設入居者
８ｂ        施設責任者
８ｃ        施設内定期的診察
８ｄ        宅配申込書、処方箋を２部複写、１部を所持し、原本と残り１部を宅配事業者へ
８ｅ        番号入宅配申込書と処方箋を照合後、薬剤と引換え、受領印を受ける
９          薬の配送サービス事業者
９ａ        宅配申込書、処方箋を２部複写、１部を所持し、原本と残り１部を宅配事業者へ
９ｂ        代理清算
９ｃ        薬局受付
９ｄ        宅配受付
９ｅ        代理清算の領収書と宅配の請求書で清算する
【図１】
2004287918.tif 000003
【図２】
2004287918.tif 000004
【図３】
2004287918.tif 000005
【図４】
2004287918.tif 000006
【図５】
2004287918.tif 000007